(57)【要約】【課題】ユニット本体のメンテナンス作業等をより容易に行うことができる新規な構成の電子機器ユニットおよび電子機器を得る。【解決手段】電子機器ユニット４は、電子機器１に設けられＸ方向（第一方向）に開放された収容部２ｒに、着脱可能に取り付けられたＯＤＤ装置７（ユニット本体）と、ＯＤＤ装置７からＸ方向の反対方向に突出し、Ｘ方向に押圧されることによりＯＤＤ装置７の少なくとも一部を収容部２ｒからＸ方向に押し出す押圧操作部８ｃが設けられたブラケット８と、を備える。【選択図】図４
2020053658.tif 000002
【特許請求の範囲】
【請求項１】
電子機器に設けられ第一方向に開放された収容部に、着脱可能に取り付けられたユニット本体と、
前記ユニット本体から前記第一方向の反対方向に突出し、前記第一方向に押圧されることにより前記ユニット本体の少なくとも一部を前記収容部から前記第一方向に押し出す押圧操作部が設けられたブラケットと、
を備えた、電子機器ユニット。
【請求項２】
前記ユニット本体には、当該ユニット本体の前記第一方向と交差した第二方向の中央部を通り前記第一方向に沿う中心線よりも前記第二方向にずれて位置され、前記電子機器の第一コネクタと接続可能な第二コネクタが設けられ、
前記押圧操作部は、前記中心線よりも前記第二方向にずれて位置された、請求項１に記載の電子機器ユニット。
【請求項３】
前記ブラケットは、前記収容部の前記第一方向の反対方向の第一壁部と結合可能な結合部を有し、
前記押圧操作部は、前記結合部と前記第二コネクタとの間に位置された、請求項２に記載の電子機器ユニット。
【請求項４】
前記押圧操作部は、前記結合部よりも前記第一方向の反対方向に位置された、請求項３に記載の電子機器ユニット。
【請求項５】
請求項３または４に記載の電子機器ユニットと、
前記電子機器ユニットが着脱可能に取り付けられる前記収容部と、前記結合部との当接によって当該結合部の前記第一方向に沿う回転中心回りの変形を抑制する変形抑制部と、が設けられた第一筐体と、
を備えた、電子機器。 
【発明の詳細な説明】
【技術分野】
【０００１】
本発明は、電子機器ユニットおよび電子機器に関する。
【背景技術】
【０００２】
従来、電子機器の収容部に着脱可能に取り付けられたユニット本体と、ユニット本体から収容部の開放方向とは反対方向に突出したブラケットと、を備えた電子機器ユニットが、知られている（例えば、特許文献１参照）。
【先行技術文献】
【特許文献】
【０００３】
【特許文献１】特開２０１６−９２０９号公報
【発明の概要】
【発明が解決しようとする課題】
【０００４】
この種の電子機器ユニットでは、例えば、ユニット本体のメンテナンス作業等をより容易に行うことができる新規な構成が得られれば、有益である。
【０００５】
そこで、本発明の課題の一つは、ユニット本体のメンテナンス作業等をより容易に行うことができる新規な構成の電子機器ユニットおよび電子機器を得ることである。
【課題を解決するための手段】
【０００６】
本発明の第１態様にかかる電子機器ユニットは、電子機器に設けられ第一方向に開放された収容部に、着脱可能に取り付けられたユニット本体と、前記ユニット本体から前記第一方向の反対方向に突出し、前記第一方向に押圧されることにより前記ユニット本体の少なくとも一部を前記収容部から前記第一方向に押し出す押圧操作部が設けられたブラケットと、を備える。このような構成によれば、例えば、ブラケットに設けられた押圧操作部を利用して、ユニット本体の少なくとも一部を収容部から押し出すことができるため、ユニット本体を収容部からより容易に取り外すことができるようになる。よって、例えば、ユニット本体のメンテナンスや交換作業等を、より容易に行うことができる。
【０００７】
また、前記ユニット本体には、当該ユニット本体の前記第一方向と交差した第二方向の中央部を通り前記第一方向に沿う中心線よりも前記第二方向にずれて位置され、前記電子機器の第一コネクタと接続可能な第二コネクタが設けられ、前記押圧操作部は、前記中心線よりも前記第二方向にずれて位置される。このような構成によれば、例えば、押圧操作部が中心線よりも第二方向の反対方向に位置された場合と比べて、押圧操作部と第二コネクタとが互いにより近づいて配置されやすい。よって、例えば、押圧操作部によって第二コネクタのより近くを押すことができるため、第一コネクタと第二コネクタとの嵌合を、より容易に、より円滑に、あるいはより小さな力で解除することができる。
【０００８】
また、前記ブラケットは、前記収容部の前記第一方向の反対方向の第一壁部と結合可能な結合部を有し、前記押圧操作部は、前記結合部と前記第二コネクタとの間に位置される。このような構成によれば、例えば、結合部が押圧操作部と第二コネクタとの間に位置された場合と比べて、押圧操作部と第二コネクタとが互いにより近づいて配置されやすい。よって、例えば、押圧操作部によって第二コネクタのより近くを押すことができるため、第一コネクタと第二コネクタとの嵌合をより一層容易に解除することができる。
【０００９】
また、前記押圧操作部は、前記結合部よりも前記第一方向の反対方向に位置される。このような構成によれば、例えば、押圧操作部が結合部ひいては第一壁部よりも第一方向の反対方向に突出するため、第一方向の反対方向から押圧操作部をより容易に押すことができる。
【００１０】
また、本発明の第２態様にかかる電子機器は、前記電子機器ユニットと、前記電子機器ユニットが着脱可能に取り付けられる前記収容部と、前記結合部との当接によって当該結合部の前記第一方向に沿う回転中心回りの変形を抑制する変形抑制部と、が設けられた第一筐体と、を備える。このような構成によれば、例えば、結合部と第一壁部とを結合するねじ等の結合具の回転トルクによって生じる結合部の回転中心回りの変形を、結合部と変形抑制部との当接によって抑制することができる。
【発明の効果】
【００１１】
本発明の上記態様によれば、ユニット本体のメンテナンス作業等をより容易に行うことができる新規な構成の電子機器ユニットおよび電子機器を得ることができる。
【図面の簡単な説明】
【００１２】
【図１】図１は、実施形態の電子機器の正面側からの例示的な斜視図である。
【図２】図２は、実施形態の電子機器の背面側からの例示的な斜視図である。
【図３】図３は、実施形態の電子機器のベース筐体の背面側からの例示的な分解斜視図である。
【図４】図４は、図３の電子機器ユニット近傍の拡大図であって、リヤカバーが取り外された状態の図である。
【図５】図５は、実施形態のベース筐体の正面側からの例示的な斜視図であって、フロントカバー、リヤカバー、およびトップカバーが取り外された状態の図である。
【図６】図６は、実施形態の電子機器ユニットの例示的な斜視図である。
【図７】図７は、実施形態の電子機器ユニットの例示的な平面図であって、収容部に装着された状態の図である。
【図８】図８は、実施形態の電子機器ユニットの例示的な平面図であって、収容部から第一方向に押し出された状態の図である。
【図９】図９は、図５の収容部近傍の拡大図であって、収容部に電子機器ユニットが装着された状態の図である。
【図１０】図１０は、図９の結合部近傍のＸＺ断面図である。
【図１１】図１１は、図９の押圧操作部近傍のＸＺ断面図である。
【発明を実施するための形態】
【００１３】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１４】
なお、本明細書では、序数は、部品や、部材、部位、位置、方向等を区別するためだけに用いられており、順番や優先度を示すものではない。
【００１５】
［実施形態］
図１は、電子機器１の正面側からの斜視図であり、図２は、電子機器１の背面側からの斜視図である。なお、以下の各図では、便宜上、互いに直交する三方向が定義されている。Ｘ方向は、電子機器１の奥行方向（前後方向）に沿い、Ｙ方向は、電子機器１の幅方向（左右方向、長手方向）に沿い、Ｚ方向は、電子機器１の高さ方向（上下方向）に沿う。Ｘ方向は、第一方向の一例であり、Ｙ方向は、第二方向の一例である。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される。
【００１６】
図１，２に示されるように、電子機器１は、例えば、オールインワン（ＡＩＯ）タイプのデスクトップ型のパーソナルコンピュータとして構成されており、ベース筐体２と、ディスプレイ筐体３と、を備えている。ディスプレイ筐体３には、ディスプレイユニット６が収容され、ベース筐体２には、電子機器ユニット４のＯＤＤ（optical  disk  drive）装置７や、基板５（図３参照）、スピーカ装置９等が収容されている。ベース筐体２は、第一筐体の一例である。なお、電子機器１は、この例には限定されず、例えば、クラムシェル型（ノートブック型）のパーソナルコンピュータや、映像表示装置、テレビジョン受像機、ゲーム機、映像表示制御装置、情報記憶装置等、電子機器ユニット４を備えた種々の電子機器１として構成することができる。
【００１７】
図１，２に示されるように、ディスプレイ筐体３は、ベース筐体２の天壁２ｂに支持されている。ディスプレイ筐体３は、例えば、ディスプレイユニット６の表示画面６ａが露出する前壁３ａと、表示画面６ａとは反対側に位置された後壁３ｂと、を有する。ディスプレイユニット６は、表示画面６ａが前方（Ｘ方向）から視認可能な状態に、ディスプレイ筐体３に支持されている。ディスプレイ筐体３とベース筐体２とは、不図示のケーブル等の配線部材を介して、互いに電気的に接続されている。
【００１８】
ベース筐体２は、例えば、底壁２ａや、天壁２ｂ、前壁２ｃ、左壁２ｄ、後壁２ｅ、右壁２ｆ、斜壁２ｇ等の複数の壁部を有している。底壁２ａおよび天壁２ｂは、いずれも、Ｚ方向と直交する方向（ＸＹ平面）に沿って延びており、Ｚ方向に間隔をあけて互いに平行に設けられている。底壁２ａには、ベース筐体２を不図示の机や、台、棚等の載置部から離間した状態に支持する複数の支持部２ｖが設けられている。天壁２ｂには、上述したケーブル等の配線部材が収容されるとともに、ベース筐体２とディスプレイ筐体３とを機械的に接続可能な接続部２ｗ（図２参照）が設けられている。
【００１９】
左壁２ｄおよび右壁２ｆは、いずれも、Ｙ方向と直交する方向（ＸＺ平面）に沿って延びており、Ｙ方向に間隔をあけて互いに平行に設けられている。また、前壁２ｃおよび後壁２ｅは、いずれも、Ｘ方向と直交する方向（ＹＺ平面）に沿って延びており、Ｘ方向に間隔をあけて互いに平行に設けられている。前壁２ｃには、電子機器ユニット４が着脱可能に収容される収容部２ｒの開方端２ｒ１が設けられている。なお、前壁２ｃには、電源ボタン等の操作部や、ＵＳＢ（universal  serial  bus）コネクタ、各種の表示ランプ等も設けられている。
【００２０】
斜壁２ｇは、左壁２ｄと後壁２ｅとの間、および右壁２ｆと後壁２ｅとの間のそれぞれに設けられている。本実施形態では、後壁２ｅのＹ方向に沿った長さは、前壁２ｃのＹ方向に沿った長さ、すなわち左壁２ｄと右壁２ｆとの間隔よりも短く設定されている。そして、斜壁２ｇのうち一方により左壁２ｄの後端と後壁２ｅの左端とが接続され、他方により右壁２ｆの後端と後壁２ｅの右端とが接続されている。これにより、ベース筐体２内の無駄なスペースが排除され、小型化が図られている。前壁２ｃ、後壁２ｅ、左壁２ｄ、右壁２ｆ、および斜壁２ｇは、側壁や周壁等とも称される。
【００２１】
図３は、ベース筐体２の背面側からの分解斜視図である。図３に示されるように、電子機器ユニット４は、例えば、ＯＤＤ装置７と、後述するブラケット８と、を有している。ＯＤＤ装置７は、ユニット本体の一例である。ＯＤＤ装置７は、補助記憶装置や、外部記憶装置等とも称される。なお、ユニット本体は、この例には限定されず、例えば、ＨＤＤ（hard  disk  drive）装置や、ファン装置、電源装置等であってもよい。
【００２２】
基板５は、電子機器ユニット４の左方（Ｙ方向）に並んで位置され、スピーカ装置９は、基板５および電子機器ユニット４の下方に位置されている。基板５の上面には、ＣＰＵ（central  processing  unit）等の複数の電子部品が実装されている。基板５内の配線とこれら複数の電子部品とによって、電子機器１の制御回路の少なくとも一部が構成されている。
【００２３】
図４は、図３の電子機器ユニット４近傍の拡大図であって、リヤカバー２３が取り外された状態の図である。図５は、ベース筐体２の正面側からの斜視図であって、フロントカバー２２、リヤカバー２３、およびトップカバー２４が取り外された状態の図である。図３〜５に示されるように、ベース筐体２は、複数の部品（分割体）が組み合わせられて構成されている。
【００２４】
具体的には、ベース筐体２は、例えば、ケース２１（図５参照）や、フロントカバー２２（図１，３参照）、リヤカバー２３（図３参照）、トップカバー２４（図３参照）、トレイ２５（図５参照）、接続カバー２６（図２参照）等を有している。接続カバー２６は、少なくとも接続部２ｗの一部を有している。接続カバー２６は、上述したケーブル等の配線部材を後方から覆っている。
【００２５】
図５に示されるように、ケース２１は、少なくとも、底壁２ａと、左壁２ｄと、右壁２ｆと、斜壁２ｇと、後壁２ｅの一部である内側部分２ｅ１と、を有している。図４にも示されるように、内側部分２ｅ１のＸ方向に沿った厚さは、斜壁２ｇの端部におけるＸ方向に沿った厚さよりも薄い。言い換えると、斜壁２ｇと内側部分２ｅ１との間には、前方（Ｘ方向）に凹み、後方に開放された凹部２ｍが設けられている。凹部２ｍは、段差等とも称される。
【００２６】
また、内側部分２ｅ１には、後述するブラケット８の押圧操作部８ｃが露出する開口部２ｔや、取付壁部２ｋ等が設けられている。取付壁部２ｋは、開口部２ｔの縁部から前方（Ｘ方向）に突出し、かつ内側部分２ｅ１とは離れた位置で左方（Ｙ方向）に屈曲している。取付壁部２ｋは、後述するブラケット８の結合部８ｄ（図６参照）とねじ等の結合具１３によって結合される。取付壁部２ｋは、第一壁部の一例である。
【００２７】
図３に示されるように、リヤカバー２３は、少なくとも後壁２ｅの一部である外側部分２ｅ２を有している。外側部分２ｅ２のＸ方向に沿った厚さは、上述した凹部２ｍ（図４参照）のＸ方向に沿った深さと略同じである。リヤカバー２３は、ケース２１の凹部２ｍを塞いだ状態で、ケース２１と一体化される。なお、外側部分２ｅ２には、押圧操作部８ｃ（図４参照）を収容可能な凹部（逃げ穴）が設けられうる。
【００２８】
また、図３に示されるように、フロントカバー２２は、少なくとも前壁２ｃを有し、トップカバー２４は、少なくとも、天壁２ｂと、接続部２ｗの一部と、を有している。ケース２１、フロントカバー２２、リヤカバー２３、トップカバー２４、および接続カバー２６（図２参照）は、例えば、結合具や、溶接、接着剤等によって互いに結合されている。
【００２９】
図５に示されるように、トレイ２５は、例えば、底壁２５ａや、左壁２５ｂ、右壁２５ｃ、中壁２５ｄ、後壁２５ｅ等の複数の壁部を有している。底壁２５ａは、ベース筐体２の底壁２ａと天壁２ｂとの間に位置され、前壁２ｃと後壁２ｅとの間に亘っている。底壁２５ａは、底壁２ａおよび天壁２ｂと平行である。底壁２５ａは、ベース筐体２内をＺ方向に複数の空間（収容部）に仕切っている。
【００３０】
本実施形態では、底壁２５ａよりも下方の空間には、スピーカ装置９の一部であるベース部９ａ等が収容されている。また、底壁２５ａよりも上方の空間には、スピーカ装置９の一部である突出部９ｂや、基板５、電子機器ユニット４（図４参照）等が収容されている。底壁２５ａは、仕切壁や、隔壁、棚壁等とも称される。
【００３１】
後壁２５ｅは、底壁２５ａの後端から上方（Ｚ方向）に突出している。後壁２５ｅは、ベース筐体２の後壁２ｅと平行である。後壁２５ｅは、ベース筐体２の内側で後壁２ｅの内側部分２ｅ１と重ねられている。言い換えると、後壁２５ｅは、後壁２ｅの一部を構成している。
【００３２】
左壁２５ｂは、底壁２５ａの左端から上方に突出している。左壁２５ｂは、ベース筐体２の左壁２ｄと平行である。左壁２５ｂは、左壁２ｄと中壁２５ｄとの間に位置され、底壁２５ａと天壁２ｂとの間に亘っている。左壁２５ｂは、ベース筐体２内を上述した基板５側の空間と基板５とは反対側の空間とにＹ方向に仕切っている。
【００３３】
右壁２５ｃは、底壁２５ａの右端から上方に突出している。右壁２５ｃは、ベース筐体２の右壁２ｆと平行である。右壁２５ｃは、右壁２ｆと中壁２５ｄとの間に位置され、底壁２５ａと天壁２ｂとの間に亘っている。右壁２５ｃは、ベース筐体２内を上述した電子機器ユニット４側の空間としての収容部２ｒと電子機器ユニット４とは反対側の空間とにＹ方向に仕切っている。
【００３４】
中壁２５ｄは、底壁２５ａのＹ方向の略中央部から上方に突出している。中壁２５ｄは、左壁２５ｂおよび右壁２５ｃと平行である。中壁２５ｄは、左壁２５ｂと右壁２５ｃとの間に位置され、底壁２５ａと天壁２ｂとの間に亘っている。中壁２５ｄは、ベース筐体２内を上述した基板５側の空間と電子機器ユニット４側の収容部２ｒとにＹ方向に仕切っている。
【００３５】
したがって、収容部２ｒは、トレイ２５の底壁２５ａや、中壁２５ｄ、右壁２５ｃ、後壁２５ｅ、ベース筐体２の後壁２ｅ、天壁２ｂ等によって囲まれ、前方（Ｘ方向）に向けて開放されている。また、収容部２ｒは、前壁２ｃ（図１参照）に設けられた開方端２ｒ１（開口部）と接続されている。左壁２５ｂ、右壁２５ｃ、および中壁２５ｄは、仕切壁や、隔壁等とも称される。
【００３６】
次に、ブラケット８についてより詳しく説明する。図６は、電子機器ユニット４の斜視図である。図７は、電子機器ユニット４の平面図であって、収容部２ｒに装着された状態の図である。図８は、電子機器ユニット４の平面図であって、収容部２ｒから前方（Ｘ方向）に押し出された状態の図である。
【００３７】
図６に示されるように、ブラケット８は、例えば、ベース部８ａと、取付部８ｂと、押圧操作部８ｃと、結合部８ｄと、を有している。ベース部８ａは、トレイ２５の底壁２５ａ（図７参照）に沿って延びた四角形状の板状に構成されている。ベース部８ａの中心部には、Ｚ方向に貫通した貫通孔８ａ２が設けられている。また、ベース部８ａの貫通孔８ａ２を挟んだＹ方向の両側には、それぞれ上方に突出した二つのリブ８ａ１が設けられている。
【００３８】
図６に示されるように、取付部８ｂは、ベース部８ａの前端から上方に突出している。取付部８ｂは、ＯＤＤ装置７の後端面と重ねられ、ねじ等の結合具１２によってＯＤＤ装置７と結合（一体化）されている。言い換えると、ブラケット８は、ＯＤＤ装置７から後方に突出した状態に設けられている。
【００３９】
また、ＯＤＤ装置７の後端面には、収容部２ｒに設けられた雄コネクタ１１（図８参照）と機械的かつ電気的に接続可能な雌コネクタ７ａが設けられている。本実施形態では、雌コネクタ７ａおよび雄コネクタ１１は、ＯＤＤ装置７のＹ方向の中央部を通りＸ方向に沿う中心線ＣＬよりも左方（Ｙ方向）にずれて位置されている。雄コネクタ１１は、第一コネクタの一例であり、雌コネクタ７ａは、第二コネクタの一例である。
【００４０】
結合部８ｄは、二つのリブ８ａ１のうち一方（右方）とＸ方向に並んで位置されている。図６に示されるように、結合部８ｄは、ベース部８ａの後端から上方に突出し、かつベース部８ａと離れた位置で前方（Ｘ方向）に屈曲している。結合部８ｄは、上述したベース筐体２の取付壁部２ｋ（図９参照）とねじ等の結合具１３によって結合される。
【００４１】
図６に示されるように、押圧操作部８ｃは、二つのリブ８ａ１のうち他方（左方）とＸ方向に並んで位置されている。言い換えると、押圧操作部８ｃは、結合部８ｄとＹ方向に離間している。押圧操作部８ｃは、ベース部８ａの後端から後方に突出するとともに、ベース部８ａとは離れた位置で上方かつ前方に屈曲している。すなわち、押圧操作部８ｃは、Ｙ方向と直交したＸＺ断面（図１１参照）が、前方に向けて開放された略Ｕ字状に構成されている。
【００４２】
本実施形態によれば、押圧操作部８ｃに前方に延びる上端が設けられているため、例えば、押圧操作部８ｃが下端と後端とを含む略Ｌ字状に構成された場合と比べて、押圧操作部８ｃの断面係数が増大し、ひいては押圧操作に対する剛性や強度がより高まりやすい。よって、例えば、押圧操作部８ｃが下端と後端との間の角部を支点として前方に撓んだりするのが抑制され、ひいてはＯＤＤ装置７を収容部２ｒからより容易にあるいはより円滑に押し出すことができる。押圧操作部８ｃは、押ボタン等とも称されうる。
【００４３】
また、図８に示されるように、本実施形態では、押圧操作部８ｃがＯＤＤ装置７の中心線ＣＬよりも左方（Ｙ方向、雌コネクタ７ａ側）に位置されるとともに、結合部８ｄが中心線ＣＬよりも右方に位置されている。言い換えると、押圧操作部８ｃは、結合部８ｄと雌コネクタ７ａとの間に位置されている。また、押圧操作部８ｃの後端は、結合部８ｄよりも後方に位置されている。
【００４４】
図９は、図５の収容部２ｒ近傍の拡大図であって、収容部２ｒに電子機器ユニット４が装着された状態の図である。図１０は、図９の結合部８ｄ近傍のＸＺ断面図である。図１１は、図９の押圧操作部９ｃ近傍のＸＺ断面図である。
【００４５】
図９，１０に示されるように、本実施形態では、トレイ２５の後壁２５ｅには、前方に突出した突出壁２５ｆが設けられている。突出壁２５ｆは、結合部８ｄの上端に沿ってＹ方向に延びている。突出壁２５ｆは、結合部８ｄが取付壁部２ｋと結合された状態、すなわち結合部８ｄと取付壁部２ｋとが当接した状態で、結合部８ｄの上端との間に僅かな隙間をあけた状態で対向している。突出壁２５ｆは、庇等とも称されうる。
【００４６】
仮に、結合部８ｄの上方に突出壁２５ｆが設けられなかった場合、結合部８ｄが結合具１３から入力される回転トルクによってＸ方向に沿う回転中心Ａｘ回りに変形してしまう虞がある。その点、本実施形態によれば、トレイ２５に底壁２５ａおよび突出壁２５ｆが設けられているため、例えば、結合部８ｄが回転中心Ａｘ回りに変形したとしても、結合部８ｄと底壁２５ａおよび突出壁２５ｆとの当接により、結合部８ｄの更なる変形を抑制することができる。底壁２５ａおよび突出壁２５ｆは、変形抑制部の一例である。なお、図９，１０に示す例では、突出壁２５ｆは、略ＸＹ平面に平行であるが、結合部８ｄと当接して結合部８ｄの変形を抑制できる壁であればよい。例えば、突出壁２５ｆは、回転中心Ａｘを中心とする円の接線方向に平行な面であって、結合部８ｄと当接できる面状の壁であればよい。
【００４７】
また、図１１に示されるように、後壁２５ｅには、内側部分２ｅ１の開口部２ｔとＸ方向に並んで切欠（開口部）が設けられている。そして、本実施形態では、結合部８ｄが取付壁部２ｋと結合された状態では、押圧操作部８ｃの後端が後壁２５ｅの切欠および内側部分２ｅ１の開口部２ｔを介して後方に露出するとともに、内側部分２ｅ１よりも後方に突出している。よって、本実施形態によれば、例えば、作業者は、リヤカバー２３（図３参照）をケース２１から取り外すとともにドライバー等によって結合具１３を取り外し、開口部２ｔから突出した押圧操作部８ｃを前方に押すことによって、ＯＤＤ装置７の少なくとも一部を収容部２ｒからより容易に押し出すことができる。
【００４８】
以上のように、本実施形態では、電子機器ユニット４は、電子機器１に設けられＸ方向（第一方向）に開放された収容部２ｒに、着脱可能に取り付けられたＯＤＤ装置７（ユニット本体）と、ＯＤＤ装置７からＸ方向の反対方向に突出し、Ｘ方向に押圧されることによりＯＤＤ装置７の少なくとも一部を収容部２ｒからＸ方向に押し出す押圧操作部８ｃが設けられたブラケット８と、を備える。このような構成によれば、例えば、ブラケット８に設けられた押圧操作部８ｃを利用して、ＯＤＤ装置７の少なくとも一部を収容部２ｒから押し出すことができるため、ＯＤＤ装置７を収容部２ｒからより容易に取り外すことができるようになる。よって、例えば、ＯＤＤ装置７のメンテナンスや交換作業等を、より容易に行うことができる。
【００４９】
また、本実施形態では、ＯＤＤ装置７には、当該ＯＤＤ装置７のＹ方向（第二方向）の中央部を通りＸ方向に沿う中心線ＣＬよりもＹ方向にずれて位置され、電子機器１の雄コネクタ１１（第一コネクタ）と接続可能な雌コネクタ７ａ（第二コネクタ）が設けられ、押圧操作部８ｃは、中心線ＣＬよりもＹ方向にずれて位置されている。このような構成によれば、例えば、押圧操作部８ｃが中心線ＣＬよりもＹ方向の反対方向に位置された場合と比べて、押圧操作部８ｃと雌コネクタ７ａとが互いにより近づいて配置されやすい。よって、例えば、押圧操作部８ｃによって雌コネクタ７ａのより近くを押すことができるため、雄コネクタ１１と雌コネクタ７ａとの嵌合を、より容易に、より円滑に、あるいはより小さな力で解除することができる。
【００５０】
また、本実施形態では、ブラケット８は、収容部２ｒのＸ方向の反対方向の取付壁部２ｋ（第一壁部）と結合可能な結合部８ｄを有し、押圧操作部８ｃは、結合部８ｄと雌コネクタ７ａとの間に位置されている。このような構成によれば、例えば、結合部８ｄが押圧操作部８ｃと雌コネクタ７ａとの間に位置された場合と比べて、押圧操作部８ｃと雌コネクタ７ａとが互いにより近づいて配置されやすい。よって、例えば、押圧操作部８ｃによって雌コネクタ７ａのより近くを押すことができるため、雄コネクタ１１と雌コネクタ７ａとの嵌合をより一層容易に解除することができる。
【００５１】
また、本実施形態では、押圧操作部８ｃは、結合部８ｄよりもＸ方向の反対方向に位置されている。このような構成によれば、例えば、押圧操作部８ｃが結合部８ｄひいては取付壁部２ｋよりもＸ方向の反対方向に突出するため、Ｘ方向の反対方向から押圧操作部８ｃをより容易に押すことができる。
【００５２】
また、本実施形態では、電子機器１は、電子機器ユニット４と、電子機器ユニット４が着脱可能に取り付けられる収容部２ｒと、結合部８ｄとの当接によって当該結合部８ｄのＸ方向に沿う回転中心Ａｘ回りの変形を抑制する突出壁２５ｆ（変形抑制部）と、が設けられたベース筐体２（第一筐体）と、を備える。このような構成によれば、例えば、結合部８ｄと取付壁部２ｋとを結合する結合具１３の回転トルクによって生じる結合部８ｄの回転中心Ａｘ回りの変形を、結合部８ｄと突出壁２５ｆとの当接によって抑制することができる。
【００５３】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【００５４】
例えば、ユニット本体は、ＯＤＤ装置には限定されず、ＨＤＤ（hard  disk  drive）装置や、ファン装置、電源装置等であってもよい。
【符号の説明】
【００５５】
１…電子機器、２…ベース筐体（第一筐体）、２ｋ…取付壁部（第一壁部）、２ｒ…収容部、４…電子機器ユニット、５…基板、６…ディスプレイユニット、７…ＯＤＤ装置（ユニット本体）、７ａ…雌コネクタ（第二コネクタ）、８…ブラケット、８ｃ…押圧操作部、８ｄ…結合部、１１…雄コネクタ（第一コネクタ）、２５ａ…底壁（変形抑制部）、２５ｆ…突出壁（変形抑制部）、Ａｘ…回転中心、ＣＬ…中心線、Ｘ…第一方向、Ｙ…第二方向。
【図１】
2020053658.tif 000003
【図２】
2020053658.tif 000004
【図３】
2020053658.tif 000005
【図４】
2020053658.tif 000006
【図５】
2020053658.tif 000007
【図６】
2020053658.tif 000008
【図７】
2020053658.tif 000009
【図８】
2020053658.tif 000010
【図９】
2020053658.tif 000011
【図１０】
2020053658.tif 000012
【図１１】
2020053658.tif 000013